(57)【要約】【課題】加熱コイルの未接続状態を確実に検出し、インバータ回路を安全に停止させる誘導加熱装置を提供することを目的とするものである。【解決手段】直流電源１、チョークコイル２、第１、第２のコンデンサ３、４、加熱コイル５、第１、第２の半導体スイッチング素子６、７からなるインバータ回路において、加熱コイル電流検出手段９と、第１及び第２の半導体スイッチング素子６、７を駆動する制御手段１０と、電力指令値を制御手段１０に出力する操作部１１とを備え、制御手段１０は、加熱コイル電流検出手段９と、操作部１１からの信号に基づいた第１及び第２の半導体スイッチング素子６、７の駆動信号とを比較し、所定の駆動信号出力時に加熱コイル電流検出手段９の出力信号が所定値以下の場合は加熱コイル未接続と判断し、インバータ回路の動作を停止させて、インバータ回路破壊を防止する。【選択図】  図１
2004335296.tif 000002
【特許請求の範囲】
【請求項１】
直流電源と前記直流電源に並列に接続されるチョークコイルと第１の半導体スイッチング素子の直列体と、前記第１の半導体スイッチング素子に並列に接続される負荷と結合してなる加熱コイルと第１のコンデンサの直列体と、前記加熱コイルに並列に接続される第２の半導体スイッチング素子と第２のコンデンサの直列接続体とから構成されるインバータ回路において、前記加熱コイルに流れる電流を検出する加熱コイル電流検出手段と、前記第１及び第２の半導体スイッチング素子を駆動する制御手段と、電力指令値を前記制御手段に出力する操作部とを備え、前記制御手段は、前記加熱コイル電流検出手段と、前記操作部からの信号に基づいた前記第１及び第２の半導体スイッチング素子の駆動信号とを比較し、所定の駆動信号出力時に、前記加熱コイル電流検出手段の出力信号が所定値以下の場合、前記加熱コイルの未接続と判断しインバータ回路の動作を停止させる誘導加熱装置。
【請求項２】
直流電源と前記直流電源に並列に接続されるチョークコイルと第１の半導体スイッチング素子の直列体と、前記第１の半導体スイッチング素子に並列に接続される負荷と結合してなる加熱コイルと第１のコンデンサの直列体と、前記加熱コイルに並列に接続される第２の半導体スイッチング素子と第２のコンデンサの直列接続体とから構成されるインバータ回路において、前記直流電源に流れる電流を検出する電源電流検出手段と、前記第１及び第２の半導体スイッチング素子を駆動する制御手段と、電力指令値を前記制御手段に出力する操作部とを備え、前記制御手段は、前記電源電流検出手段と、前記操作部からの信号に基づいた前記第１及び第２の半導体スイッチング素子の駆動信号とを比較し、所定の駆動信号出力時に、前記電源電流検出手段の出力信号が所定値以下の場合、前記加熱コイルの未接続と判断しインバータ回路の動作を停止させる誘導加熱装置。
【請求項３】
表示部を設け、加熱コイルの未接続によってインバータ回路を停止させた場合に前記表示部にエラー表示を行なうよう動作し、この場合前記操作部の操作キーの作動は無効とする請求項１または２に記載の誘導加熱装置。
【請求項４】
操作部は加熱停止キーと加熱スタートキーを有し、加熱コイルの未接続によってインバータ回路を停止させた場合に前記加熱停止キーを押し、加熱スタートキーを押さない限り再度インバータ回路を動作させないようにした請求項１または２に記載の誘導加熱装置。
【請求項５】
電源スイッチを設け、加熱コイルの未接続によって一旦インバータ回路を停止させた場合に前記電源スイッチをオフしない限り再度インバータ回路を動作させないようにした請求項１または２に記載の誘導加熱装置。
【請求項６】
操作部にＲＡＭ等の記憶媒体を設け、前記記憶媒体に加熱コイルの未接続時にインバータが停止した状態を記憶させておき電源の供給が停止した場合にも表示部にエラー表示を行なえるよう動作し、この場合前記操作部の操作キーの作動は無効とする請求項１〜３のいずれか１項に記載の誘導加熱装置。
【発明の詳細な説明】
【０００１】
【発明の属する技術分野】
本発明は、高周波磁界による誘導加熱を利用して被加熱物の加熱を行なう電磁調理器などの誘導加熱装置に関するものである。
【０００２】
【従来の技術】
従来、この種の誘導加熱装置については一般的によく知られている（例えば、特許文献１参照）。
【０００３】
これは、図１１に示すように、加熱コイル２３と第１コンデンサ２４との並列回路を、商用電源２１を整流器２２で整流した直流電源に開閉接続する第１スイッチング素子２６と、並列回路の両端を第２コンデンサ２５と放電抵抗３０との並列回路を介して開閉する第２スイッチング素子２７と、第１スイッチング素子２６と第２スイッチング素子２７とを交互に通電制御する制御回路２８とから構成されたインバータ回路を備え、第１スイッチング素子２６と第２スイッチング素子２７の開閉により加熱コイル２３に載置された被加熱物を誘導加熱するものである。そして、商用電源２１が停電したときは、これを停電検知手段２９により検知するようになっている。ここで、第２コンデンサ２５と放電抵抗３０との時定数の値は、停電発生から再起動するまでの時間以下の大きさに構成されている。
【０００４】
上記構成における動作について説明する。制御回路２８は、第１スイッチング素子２６を所定時間導通させたのち、開放して加熱コイル２３と第１コンデンサ２４による共振回路を共振させる。その後、第２スイッチング素子２７は導通を開始し、第１スイッチング素子２６のコレクタ・エミッタ間電圧を第２コンデンサ２５によりクランプする共振動作を行なう。第２スイッチング素子２７を所定時間導通後、開放して加熱コイル２３と第１コンデンサ２４とによる共振回路を動作させ、再度、第１スイッチング素子２６は導通を開始する。商用電源２１が停電したとき、制御回路２８は、停電検知手段２９により停電を検知し、第１スイッチング素子２６と第２スイッチング素子２７のＩＧＢＴのドライブ信号であるｖｇｅ１とｖｇｅ２の出力を停止したのち、第２コンデンサ２５と放電抵抗３０とによる時定数よりも充分に時間経過したのちに再起動を行なう。
【０００５】
図１２は、このときの第２コンデンサ２５の電圧を示す波形を示している。第２コンデンサ２５と放電抵抗３０とによる時定数に対して充分に時間経過してから再起動するため、再起動時において定常動作よりも大きい共振電圧やノイズが発生する機会が少なくなるとともに、インバータ回路の動作を停止することで、不安定な状態にある商用電源２１に対して破壊し難い制御となる。
【０００６】
【特許文献１】
特開２００１−３５１７７０号公報
【０００７】
【発明が解決しようとする課題】
しかしながら、このような従来の誘導加熱装置においては、緩慢的に放電が行われ、かつ放電抵抗３０の許容電力を考慮した場合、高い許容電力を有した放電抵抗を選択せざるを得ず、部品サイズ的にも大きく、コスト的にも高くなる可能性を有している。
【０００８】
本発明は、上記従来の課題を解決するもので、加熱コイルの未接続状態を部品共用でコスト的にも安価でかつ制御的にも確実に検出し、インバータ回路を安全に停止させる誘導加熱装置を実現することを目的とするものである。
【０００９】
【課題を解決するための手段】
上記目的を達成するために、本発明の誘導加熱装置は、インバータ回路において、加熱コイルに流れる電流を検出する加熱コイル電流検出手段と、第１及び第２の半導体スイッチング素子を駆動する制御手段と、電力指令値を制御手段に出力する操作部とを備え、制御手段は、加熱コイル電流検出手段と、操作部からの信号に基づいた第１及び第２の半導体スイッチング素子の駆動信号とを比較し、所定の駆動信号出力時に、加熱コイル電流検出手段の出力信号が所定値以下の場合、加熱コイルの未接続と判断しインバータ回路の動作を停止させるようにしている。
【００１０】
これにより、元来インバータ回路の電力制御用に構成される加熱コイル電流検出手段を用いることで、加熱コイルの未接続状態を部品共用でコスト的にも安価でかつ制御的にも確実に検出し、インバータ回路を安全に停止させる誘導加熱装置を実現することができるものである。
【００１１】
【発明の実施の形態】
請求項１に記載の発明は、直流電源と前記直流電源に並列に接続されるチョークコイルと第１の半導体スイッチング素子の直列体と、前記第１の半導体スイッチング素子に並列に接続される負荷と結合してなる加熱コイルと第１のコンデンサの直列体と、前記加熱コイルに並列に接続される第２の半導体スイッチング素子と第２のコンデンサの直列接続体とから構成されるインバータ回路において、前記加熱コイルに流れる電流を検出する加熱コイル電流検出手段と、前記第１及び第２の半導体スイッチング素子を駆動する制御手段と、電力指令値を前記制御手段に出力する操作部とを備え、前記制御手段は、前記加熱コイル電流検出手段と、前記操作部からの信号に基づいた前記第１及び第２の半導体スイッチング素子の駆動信号とを比較し、所定の駆動信号出力時に、前記加熱コイル電流検出手段の出力信号が所定値以下の場合、前記加熱コイルの未接続と判断しインバータ回路の動作を停止させる誘導加熱装置とすることにより、元来インバータ回路の電力制御用に構成される加熱コイル電流検出手段を用いることで、加熱コイルの未接続状態を部品共用でコスト的にも安価でかつ制御的にも確実に検出し、インバータ回路を安全に停止させる誘導加熱装置を実現することができるものである。
【００１２】
請求項２に記載の発明は、直流電源と前記直流電源に並列に接続されるチョークコイルと第１の半導体スイッチング素子の直列体と、前記第１の半導体スイッチング素子に並列に接続される負荷と結合してなる加熱コイルと第１のコンデンサの直列体と、前記加熱コイルに並列に接続される第２の半導体スイッチング素子と第２のコンデンサの直列接続体とから構成されるインバータ回路において、前記直流電源に流れる電流を検出する電源電流検出手段と、前記第１及び第２の半導体スイッチング素子を駆動する制御手段と、電力指令値を前記制御手段に出力する操作部とを備え、前記制御手段は、前記電源電流検出手段と、前記操作部からの信号に基づいた前記第１及び第２の半導体スイッチング素子の駆動信号とを比較し、所定の駆動信号出力時に、前記電源電流検出手段の出力信号が所定値以下の場合、前記加熱コイルの未接続と判断しインバータ回路の動作を停止させる誘導加熱装置とすることにより、元来インバータ回路の電力制御用に構成される電源電流検出手段を用いることで、加熱コイルの未接続状態を部品共用でコスト的にも安価でかつ制御的にも確実に検出し、インバータ回路を安全に停止させる誘導加熱装置を実現するものである。
【００１３】
請求項３に記載の発明は、表示部を設け、加熱コイルの未接続によってインバータ回路を停止させた場合に前記表示部にエラー表示を行なうよう動作し、この場合前記操作部の操作キーの作動は無効とする請求項１または２に記載の誘導加熱装置とすることにより、加熱コイルの未接続時のインバータ回路停止が視覚的に分かりやすく、さらにこの場合、操作部の操作キーによるインバータの再起動を防止する誘導加熱装置を実現できるものである。
【００１４】
請求項４に記載の発明は、操作部は加熱停止キーと加熱スタートキーを有し、加熱コイルの未接続によってインバータ回路を停止させた場合に前記加熱停止キーを押し、加熱スタートキーを押さない限り再度インバータ回路を動作させないようにした請求項１または２に記載の誘導加熱装置とすることにより、短い期間でのインバータ回路の再起動を防止し、半導体スイッチング素子への過負荷防止を行なう誘導加熱装置を実現できるものである。
【００１５】
請求項５に記載の発明は、電源スイッチを設け、加熱コイルの未接続によって一旦インバータ回路を停止させた場合に前記電源スイッチをオフしない限り再度インバータ回路を動作させないようにした請求項１または２に記載の誘導加熱装置とすることにより、短い期間でのインバータ回路の再起動を防止し、半導体スイッチング素子への過負荷防止を行なう誘導加熱装置を実現できるものである。
【００１６】
請求項６に記載の発明は、操作部にＲＡＭ等の記憶媒体を設け、前記記憶媒体に加熱コイルの未接続時にインバータが停止した状態を記憶させておき電源の供給が停止した場合にも表示部にエラー表示を行なえるよう動作し、この場合前記操作部の操作キーの作動は無効とする請求項１〜３のいずれか１項に記載の誘導加熱装置とすることにより、組み立て時もしくはサービス対応時の電源供給が停止した場合にでも、再度電源を供給することで過去の異常状態を見ることができ、同時に、短い期間でのインバータ回路の再起動を防止し、半導体スイッチング素子への過負荷防止を行なう誘導加熱装置を実現できるものである。
【００１７】
【実施例】
以下、本発明の実施例について、図面を参照しながら説明する。
【００１８】
（実施例１）
図１〜図４は本発明の実施例１における誘導加熱装置を示すものである。
【００１９】
図１に示すように、直流電源１と直流電源１に並列に接続されるチョークコイル２と第１の半導体スイッチング素子６の直列体と、第１の半導体スイッチング素子６に並列に接続される鍋などの負荷８と結合してなる加熱コイル５と第１のコンデンサ３の直列体と、加熱コイル５に並列に接続される第２の半導体スイッチング素子７と第２のコンデンサ４の直列接続体とから構成されるインバータ回路において、加熱コイル５に流れる電流を検出する加熱コイル電流検出手段９と、第１及び第２の半導体スイッチング素子６、７を駆動する制御手段１０と、電力指令値を制御手段１０に出力する操作部１１とを備え、制御手段１０は、加熱コイル電流検出手段９と、操作部１１からの信号に基づいた第１及び第２の半導体スイッチング素子６、７の駆動信号とを比較し、所定の駆動信号出力時に、加熱コイル電流検出手段９の出力信号が所定値以下の場合、加熱コイル５の未接続と判断しインバータ回路の動作を停止させる構成としている。
【００２０】
本実施例では、第１及び第２の半導体スイッチング素子６、７は、順方向に導通するＩＧＢＴとこれに逆並列に接続したダイオードで記載しているが、ＭＯＳＦＥＴのように素子内部にダイオードを構成した素子を用いても問題はない。
【００２１】
次に、本実施例の動作に関して説明する。図２はインバータ回路の各区間における電流経路を示しており、図２（ａ）の状態から、制御手段１０は操作部１１からの電力指令値に応じて第１の半導体スイッチング素子６を導通状態とすると、直流電源１からは第１のスイッチング素子６の導通時間に応じたエネルギーをチョークコイル２に蓄える。
【００２２】
一方、第１のコンデンサ３は第１のコンデンサ３を電源として加熱コイル５を通して負荷８に電力を供給する。よって第１の半導体スイッチング素子６に流れる電流は、図３のＩ６に示されるような波形となる。
【００２３】
次に、制御手段１０が第１の半導体スイッチング素子６を非導通状態とすると、図２（ｂ）の状態になり、チョークコイル２に蓄えられた電力は第２の半導体スイッチング素子７の逆導通素子を通して第１及び第２のコンデンサ３、４にエネルギーを蓄えるとともに、加熱コイル５に蓄えられたエネルギーも第２のコンデンサ４に蓄えられる。このため、図３のＩ７に見られるように大きな逆導通電流が第２の半導体スイッチング素子７に流れることになる。制御手段１０はこの逆導通電流が流れている期間に第２の半導体スイッチング素子７を導通状態としておくことで、加熱コイル５から第２のコンデンサ４へのエネルギーの蓄積が終了した時点で図２（ｃ）の状態になる。この図２（ｃ）の状態では、第２のコンデンサ４を電源として加熱コイル５を通して負荷８に電力を供給することになる。また、チョークコイル２に蓄えられたエネルギーは加熱コイル５を通して第１のコンデンサ３に電力を蓄えることになる。
【００２４】
次に、制御手段１０が所定の時間で第２の半導体スイッチング素子７を非導通状態にすることで、加熱コイル５に蓄えられたエネルギーは、第１の半導体スイッチング素子６の逆導通素子を通して第１のコンデンサ３にエネルギーを蓄えることになり、図２（ｄ）の状態になる。この逆導通素子が導通している区間で、第１の半導体スイッチング素子６を導通状態にすることで図２（ａ）の状態に戻り、以下この動作を繰り返すことになる。この動作を２０〜５０ｋＨｚ程度で連続的に繰り返すことで、図３のＩ５に示すように加熱コイル５に高周波電流が流れ、この高周波電流により生じる高周波磁界が負荷８に吸収され、負荷８自身がもつ高周波抵抗と高周波磁界により生じる渦電流により負荷８自身が発熱することになる。
【００２５】
なお、図３のＩ６は第１の半導体スイッチング素子６を流れる電流を、Ｖ６はそのコレクタ−エミッタ間電圧を、Ｉ７は第２の半導体スイッチング素子７を流れる電流を、Ｖ７はそのコレクタ−エミッタ間電圧を、Ｉ５は加熱コイル５を流れる電流を、Ｉ２はチョークコイル２を流れる電流を示している。
【００２６】
インバータ回路の電力制御は、操作部１１からの電力指令値と、加熱コイル５に流れる電流を検出する加熱コイル電流検出手段９からの出力信号とを制御手段１０にて比較し、電力指令値に応じて一定制御するよう制御手段１０にて第１、２の半導体スイッチング素子６、７に所定の駆動信号を与えるよう構成されている。
【００２７】
次にインバータ回路の起動時について、図４を用いて説明する。インバータ回路の起動時には、図４（ａ）のように第１の半導体スイッチング素子６の駆動信号をある最小値から徐々にオン時間を増加させていくと、それに伴い加熱コイル５にも徐々に電流が増加していき、同図（ｂ）のように加熱コイル電流検出手段９の出力信号も増加していく。そして操作部１１からの電力指令値に応じたオン時間まで動作すると、加熱コイル５に流れる電流も安定し前述した電力一定制御を行なう構成としている。このような構成をとることで、インバータ回路の起動時において、第１及び第２の半導体スイッチング素子６、７のどちらかの所定のオン時間と加熱コイル電流検出手段９の出力値とを制御手段１０にて比較し、加熱コイル電流検出手段９の信号が所定値以下であれば、加熱コイル５が未接続と判断してインバータ回路を停止させ、逆に一定値以上であれば通常動作を行なうように動作する。
【００２８】
以上のように、本実施例によれば、製造組み立て時及びサービス対応時の加熱コイル５の未接続状態を、元来インバータ回路の電力一定制御用に構成される加熱コイル電流検出手段９を用いることで、部品を共用できコスト的にも安価でかつ制御的にも確実にできるため、インバータ回路を安全に停止させる誘導加熱装置を実現できるものである。
【００２９】
（実施例２）
図５、図６は本発明の実施例２における誘導加熱装置の回路構成を示すものである。
【００３０】
本実施例において、実施例１と異なるのは、加熱コイル電流検出手段９の代わりに、電源電流検出手段１２を配置してインバータ回路の電力を一定に制御していることである。他の構成は同じである。
【００３１】
本実施例では、インバータ回路の電力制御は操作部１１からの電力指令値と、直流電源１に流れる電流を検出する電源電流検出手段１２からの出力信号とを制御手段１０にて比較し、電力指令値に応じて一定制御するよう制御手段１０にて第１、２の半導体スイッチング素子６、７に所定の駆動信号を与えるよう構成されている。
【００３２】
次に、インバータ回路の起動時について、図６を用いて説明する。インバータ回路の起動時には、図６（ａ）のように第１の半導体スイッチング素子６の駆動信号をある最小値から徐々にオン時間を増加させていくと、それに伴い直流電源１にも徐々に電流が増加していき、同図（ｂ）のように電源電流検出手段１２の出力信号も増加していく。そして電力指令値に応じたオン時間まで動作すると、直流電源１に流れる電流も安定し前述した電力一定制御を行なう構成としている。このような構成をとることでインバータ回路の起動時において第１及び第２の半導体スイッチング素子６、７のどちらかの所定のオン時間と電源電流検出手段１２の出力値とを制御手段１０にて比較し、電源電流検出手段１２の信号が所定値以下であれば加熱コイル５が未接続と判断してインバータ回路を停止させ、逆に一定値以上であれば通常動作を行なうように動作する。
【００３３】
以上のように、本実施例によれば、製造組み立て時及びサービス対応時の加熱コイル５の未接続状態を、元来インバータ回路の電力一定制御用に構成される電源電流検出手段１２を用いることで、部品を共用できコスト的にも安価でかつ制御的にも確実にできるため、インバータ回路を安全に停止させる誘導加熱装置を実現できるものである。
【００３４】
（実施例３）
図７は、本発明の実施例３における誘導加熱装置を示すものである。
【００３５】
本実施例では、操作部１１に表示部１３と操作キー１４を設けたものである。そして、インバータ回路の起動時において、第１及び第２の半導体スイッチング素子６、７のどちらかの所定のオン時間と加熱コイル電流検出手段９もしくは電源電流検出手段１２の出力値とを制御手段１０にて比較し、加熱コイル電流検出手段９もしくは電源電流検出手段１２の信号が所定値以下であれば、加熱コイル５が未接続と判断してインバータ回路を停止させる。そして、この場合に、表示部１３にエラー表示を行なうよう動作し、操作部１１の操作キー１４の作動は無効とするよう動作するようにしている。
【００３６】
以上のように、本実施例によれば、製造組み立て時及びサービス対応時の加熱コイル５の未接続状態を、元来インバータ回路の電力一定制御用に構成される加熱コイル電流検出手段９もしくは電源電流検出手段１２を用いることで、部品を共用できコスト的にも安価でかつ制御的にも確実にできるため、インバータ回路を安全に停止させることができ、かつインバータ回路停止を表示部１３にエラー表示を行ない視覚的に分かりやすく、さらにこの場合、操作部１１の操作キー１４の作動を無効とすることにより、キー操作によるインバータの再起動を防止する誘導加熱装置を実現できるものである。
【００３７】
（実施例４）
図８は、本発明の実施例４における誘導加熱装置を示すものである。
【００３８】
本実施例では、操作部１１は加熱停止キー１５と加熱スタートキー１６を有し、加熱コイルの未接続によってインバータ回路を停止させた場合に、前記加熱停止キー１５を押し、加熱スタートキー１６を押さない限り、再度インバータ回路を動作させないようにしているものである。他の構成は実施例３と同じである。
【００３９】
次に、本実施例の動作を説明する。操作部１１は、通常、インバータ回路の外来要因（雷サージ、瞬停等）で停止した場合、一旦インバータ回路動作を停止させ、操作部１１のキー操作によらず再度インバータ回路を起動させる構成になっている。一方、インバータ回路の起動時において、第１及び第２の半導体スイッチング素子６、７のどちらかの所定のオン時間と加熱コイル電流検出手段９もしくは電源電流検出手段１２の出力値とを制御手段１０にて比較し、加熱コイル電流検出手段９もしくは電源電流検出手段１２の信号が所定値以下であれば、加熱コイル５が未接続と判断してインバータ回路を停止させる。この場合は、操作部１１の加熱停止キー１５を押し再度加熱スタートキー１６を押さない限り再度インバータ回路を起動させないよう動作する。
【００４０】
以上のように、本実施例によれば、製造組み立て時及びサービス対応時の加熱コイル５の未接続状態を、元来インバータ回路の電力一定制御用に構成される加熱コイル電流検出手段９もしくは電源電流検出手段１２を用いることで、部品を共用できコスト的にも安価でかつ制御的にも確実にできるため、インバータ回路を安全に停止させることができ、この場合は、操作部１１の加熱停止キー１５を押し再度加熱スタートキー１６を押さない限り、再度インバータ回路を起動させないよう動作することで、繰り返し行なわれる起動動作によるインバータ回路へのダメージを低減する誘導加熱装置を実現できるものである。
【００４１】
（実施例５）
図９は、本発明の実施例５における誘導加熱装置を示すものである。
【００４２】
本実施例では、操作部１１に電源スイッチ１７を設け、加熱コイルの未接続によって一旦インバータ回路を停止させた場合に、前記電源スイッチ１７をオフしない限り再度インバータ回路を動作させないようにしているものである。他の構成は実施例４と同じである。
【００４３】
次に、本実施例の動作を説明する。操作部１１は、通常、インバータ回路の外来要因（雷サージ、瞬停等）で停止した場合、一旦インバータ回路動作を停止させ、操作部１１のキー操作によらず再度インバータ回路を起動させる構成になっている。
【００４４】
一方、インバータ回路の起動時において第１及び第２の半導体スイッチング素子６、７のどちらかの所定のオン時間と加熱コイル電流検出手段９もしくは電源電流検出手段１２の出力値とを制御手段１０にて比較し、加熱コイル電流検出手段９もしくは電源電流検出手段１２の信号が所定値以下であれば加熱コイル５が未接続と判断してインバータ回路を停止させる。この場合は、電源スイッチ１７を一旦オフ状態にしない限り、再度インバータ回路を起動させないよう動作する。
【００４５】
以上のように、本実施例によれば、製造組み立て時及びサービス対応時の加熱コイル５の未接続状態を、元来インバータ回路の電力一定制御用に構成される加熱コイル電流検出手段９もしくは電源電流検出手段１２を用いることで、部品を共用できコスト的にも安価でかつ制御的にも確実にできるため、インバータ回路を安全に停止させることができ、この場合は、電源スイッチ１７を一旦オフ状態にしない限り再度インバータ回路を起動させないよう動作することで、繰り返し行なわれる起動動作によるインバータ回路へのダメージを低減する誘導加熱装置を実現できるものである。
【００４６】
（実施例６）
図１０は、本発明の実施例６における誘導加熱装置を示すものである。
【００４７】
本実施例では、操作部１１にＲＡＭ等の記憶媒体１８を設け、前記記憶媒体１８に加熱コイルの未接続時にインバータが停止した状態を記憶させておき電源の供給が停止した場合にも表示部１３にエラー表示を行なえるよう動作し、この場合、前記操作部１１の操作キー１４の作動は無効とするようにしたものである。他の構成は実施例５と同じである。
【００４８】
次に、本実施例の動作を説明する。操作部１１は、通常、インバータ回路の外来要因（雷サージ、瞬停等）で停止した場合、一旦インバータ回路動作を停止させ、操作部１１のキー操作によらず再度インバータ回路を起動させる構成になっている。一方、インバータ回路の起動時において第１及び第２の半導体スイッチング素子６、７のどちらかの所定のオン時間と加熱コイル電流検出手段９もしくは電源電流検出手段１２の出力値とを制御手段１０にて比較し、加熱コイル電流検出手段９もしくは電源電流検出手段１２の信号が所定値以下であれば加熱コイル５が未接続と判断してインバータ回路を停止させる。この場合、操作部１１にＲＡＭ等の記憶媒体１８を設けることにより、記憶媒体１８に加熱コイル５の未接続時にインバータが停止した状態を記憶させておき、電源の供給が停止した場合において表示部１３のエラー表示が消えたとしても、再度電源の供給が始まれば表示部１３にエラー表示を行なうよう動作する。また、この場合は、操作部１１の操作キー１４の作動は無効とするよう動作する。
【００４９】
以上のように、本実施例によれば、製造組み立て時及びサービス対応時の加熱コイル５の未接続状態を、元来インバータ回路の電力一定制御用に構成される加熱コイル電流検出手段９もしくは電源電流検出手段１２を用いることで、部品を共用できコスト的にも安価でかつ制御的にも確実にできるため、インバータ回路を安全に停止させることができる。また、電源の供給が停止した場合にも記憶媒体１８がインバータ回路の停止したエラー表示内容を記憶しておき、電源の供給が始まった状態で表示部１３にエラー表示を行なうよう動作することで、製造組み立て時もしくはサービス対応時に電源供給が停止しても、再度電源を供給することで過去の異常状態を見ることができる。同時に、短い期間でのインバータ回路の再起動を防止し、半導体スイッチング素子への過負荷防止を行なうことができるものである。
【００５０】
【発明の効果】
上記実施例からも明らかなように、本発明の誘導加熱装置によれば、元来インバータ回路の電力制御用に構成される加熱コイル電流検出手段もしくは電源電流検出手段を用いることで、加熱コイルの未接続状態を部品共用でコスト的にも安価でかつ制御的にも確実に検出し、インバータ回路を安全に停止させる誘導加熱装置を実現することができるものである。
【図面の簡単な説明】
【図１】本発明の実施例１における誘導加熱装置の回路構成図
【図２】同誘導加熱装置の動作モードを示す図
【図３】同誘導加熱装置の動作波形を示す図
【図４】同誘導加熱装置の動作を示す図
【図５】本発明の実施例２における誘導加熱装置の回路構成図
【図６】同誘導加熱装置の動作を示す図
【図７】本発明の実施例３における誘導加熱装置の構成図
【図８】本発明の実施例４における誘導加熱装置の構成図
【図９】本発明の実施例５における誘導加熱装置の構成図
【図１０】本発明の実施例６における誘導加熱装置の構成図
【図１１】従来の誘導加熱装置の回路構成図
【図１２】同誘導加熱装置の動作波形を示す図
【符号の説明】
１  直流電源
２  チョークコイル
３  第１のコンデンサ
４  第２のコンデンサ
５  加熱コイル
６  第１の半導体スイッチング素子
７  第２の半導体スイッチング素子
８  負荷
９  加熱コイル電流検出手段
１０  制御手段
１１  操作部
１２  電源電流検出手段
１３  表示部
１４  操作キー
１５  加熱停止キー
１６  加熱スタートキー
１７  電源スイッチ
１８  記憶媒体
【図１】
2004335296.tif 000003
【図２】
2004335296.tif 000004
【図３】
2004335296.tif 000005
【図４】
2004335296.tif 000006
【図５】
2004335296.tif 000007
【図６】
2004335296.tif 000008
【図７】
2004335296.tif 000009
【図８】
2004335296.tif 000010
【図９】
2004335296.tif 000011
【図１０】
2004335296.tif 000012
【図１１】
2004335296.tif 000013
【図１２】
2004335296.tif 000014